(57)【要約】【課題】三元素の濃度比分布を表わす三元散布図について追加の軸を設け、該軸に他の二元素の濃度情報を付与することにより、当該三元素間での濃度分布と当該二元素の濃度との関係を一つの立体グラフ上で把握可能とする試料分析装置を提供する。【解決手段】試料上で一次線を走査し、これにより試料から発生する信号を検出して試料の元素分析を行う試料分析装置及び方法において、分析対象の複数元素における三元素の濃度情報に基づき形成される三元散布図の平面に対して交差する軸に、他の二元素の濃度情報を付与してなる立体グラフを作成する。【選択図】図４
2014071092.tif 000002
【特許請求の範囲】
【請求項１】
試料上で一次線を走査し、これにより試料から発生する信号を検出して試料の元素分析を行う試料分析装置において、分析対象の複数元素における三元素の濃度情報に基づき形成される三元散布図の平面に対して交差する軸に、他の二元素の濃度情報を付与してなる立体グラフを作成する手段を有することを特徴とする試料分析装置。
【請求項２】
前記軸は、前記三元散布図の平面に対して直交する軸であることを特徴とする請求項１記載の試料分析装置。
【請求項３】
前記一次線は電子線であり、前記信号は特性Ｘ線であることを特徴とする請求項１又は２記載の試料分析装置。
【請求項４】
前記一次線はＸ線であり、前記信号は蛍光Ｘ線であることを特徴とする請求項１又は２記載の試料分析装置。
【請求項５】
前記立体グラフを表示する表示手段を有することを特徴とする請求項１乃至４何れか記載の試料分析装置。
【請求項６】
前記表示手段により表示された立体グラフが、空間座標軸に沿って回転可能とされていることを特徴とする請求項５記載の試料分析装置。
【発明の詳細な説明】
【技術分野】
【０００１】
本発明は、試料に電子線等の一次線を照射し、これにより試料から発生する特性Ｘ線等の信号を検出して試料の元素分析を行う試料分析装置に関する。
【背景技術】
【０００２】
電子プローブマイクロアナライザ（ＥＰＭＡ）等の試料分析装置においては、一次線となる電子線を試料に照射し、これにより試料から発生する特性Ｘ線の検出を行うことにより、試料表面に存在する元素の組成分析（元素分析）を行うことができる。
【０００３】
この場合、電子線を試料上で走査することにより、組成元素についての面分析（二次元分布測定）を行うこともできる。
【０００４】
このような面分析においては、検出された特性Ｘ線の強度と予め求めておいた質量濃度との関係に基づき、分析対象となる各元素の濃度マップを得ることができる。また、各元素の濃度比の分布を求めることにより、試料に含まれる化合物を特定するための相分析を行うこともできる。
【０００５】
分析対象元素の中で三種の元素（三元素）を指定した場合、得られた各元素の濃度分布データに基づいて三元散布図グラフ内にデータをプロットし、三元散布図として三種の元素の濃度比の分布を表わすことができる。この三元散布図においてプロットされている情報は、試料に含まれている化合物等を特定するための情報となりうる。
【０００６】
このような三元散布図の例は、例えば、特許文献１の図６に示されている。
【先行技術文献】
【特許文献】
【０００７】
【特許文献１】特開２００６−１２５９５２号公報
【発明の概要】
【発明が解決しようとする課題】
【０００８】
従来技術における三元散布図では、指定された三元素についての濃度分布のみを表わすことできる。
【０００９】
しかしながら、より詳細な試料情報を得るためには、三元素についての濃度情報に加えて、当該三元素以外の元素についての濃度情報を同時に参照したい場合がある。
【００１０】
本発明は、このような点に鑑みてなされたものであり、三元素の濃度比分布を表わす三元散布図について三次元空間上の奥行き方向に追加の軸を設け、該軸に他の二元素の濃度情報を付与することにより、当該三元素間での濃度分布と当該二元素の濃度との関係を一つの立体グラフ上で把握可能とする試料分析装置を提供することを目的とする。
【課題を解決するための手段】
【００１１】
本発明における試料分析装置は、試料上で一次線を走査し、これにより試料から発生する信号を検出して試料の元素分析を行う試料分析装置において、分析対象の複数元素における三元素の濃度情報に基づき形成される三元散布図の平面に対して交差する軸に、他の二元素の濃度情報を付与してなる立体グラフを作成する手段を有することを特徴とする。
【発明の効果】
【００１２】
本発明においては、分析対象の複数元素における三元素の濃度情報に基づき形成される三元散布図の平面に対して交差する軸に、他の二元素の濃度情報を付与してなる立体グラフが作成される。
【００１３】
よって、分析を行うオペレータは、当該立体グラフを目視にて確認することにより、当該三元素間での濃度情報と当該二元素間での濃度情報との関係を一つの立体グラフ上で視覚的に把握することができ、試料分析をする上で有用な情報を即座に得ることができる。
【図面の簡単な説明】
【００１４】
【図１】本発明における試料分析装置を示す概略構成図である。
【図２】分析対象元素の指定を行うための画像を示す図である。
【図３】元素分析により得られた三元散布図を示す図である。
【図４】元素分析により得られた立体グラフを示す図である。
【図５】立体グラフの変形例を示す図である。
【発明を実施するための形態】
【００１５】
以下、図面を参照して、本発明における試料分析装置について説明する。
【００１６】
図１は、本発明における試料分析装置を示す概略構成図である。この実施例において、当該試料分析装置は、電子プローブマイクロアナライザの構成を備えている。
【００１７】
同図において、電子源である電子銃１から放出された電子線１８は、集束レンズ２及び対物レンズ３により試料６上で電子プローブとして集束される。このようにして集束された電子線（集束電子線）１８が照射された試料６からは、試料表面の構成元素に応じた特性Ｘ線１９が発生する。この特性Ｘ線１９は、分光素子９によって分光され、Ｘ線検出器１０により検出される。試料６の面分析を行うためには、電子線走査器４による偏向作用により、集束電子線１８を試料６上で二次元的に走査する。
【００１８】
ここで、試料６上で集束電子線１８が照射される位置と分光素子９とＸ線検出器１０とは常にローランド円上に位置している。分光素子９は、分光素子制御装置１１による駆動制御によって、分析対象元素に応じた分光位置に移動される。これにより、分析対象元素に対応する各分光位置において、分光素子９による特性Ｘ線１９の分光が行われる。
【００１９】
各分光位置において、Ｘ線検出器１０で検出されたＸ線信号は、Ｘ線信号処理装置１２により所定の処理が施された後、制御演算処理装置１５に送られる。
【００２０】
このとき、各分光位置において分光素子９を固定しておき、上述のごとく集束電子線１８を試料６上で二次元的に走査することにより、対応する分析対象元素についての試料６の面分析を行うことができる。なお、集束電子線１８の試料６上での二次元走査は、集束電子線１８の照射位置を固定しておき、この状態で試料ステージ７の二次元移動により行うこともできる。
【００２１】
Ｘ線信号処理装置１２から当該処理後のＸ線信号を受けた制御演算処理装置１５は、集束電子線１８の走査を実行した際の走査信号と当該Ｘ線信号とに基づき、分析対象元素についての面分析データを作成する。すなわち、制御演算処理装置１５は、分析対象元素に関して予め求めておいた質量濃度とＸ線強度との関係に基づいて、各元素の濃度マップを作成する。さらに、制御演算処理装置１５は、後述する立体グラフの作成を行う。
【００２２】
なお、本装置の電子光学系を構成する電子銃１、集束レンズ２、対物レンズ３及び電子線走査器４は、電子光学系制御装置８に接続されている。電子光学系制御装置８は、インターフェース１４を介して制御演算処理装置１５に接続されている。これにより、電子銃１、集束レンズ２、対物レンズ３及び電子線走査器４は、電子光学系制御装置８を介して、制御演算処理装置１５により駆動制御される。
【００２３】
また、分光素子９の駆動を行う分光素子制御装置１１、及び試料ステージ７の駆動を行う試料ステージ制御装置１３も同様に、インターフェース１４を介して制御演算処理装置１５に接続されている。これにより、分光素子９及び試料ステージ７は、それぞれ分光素子制御装置１１及び試料ステージ制御装置１３を介して、制御演算処理装置１５により駆動制御される。
【００２４】
さらに、制御演算処理装置１５には、表示装置１６及び入力装置１７が接続されている。表示装置１６は、ＬＣＤ（液晶ディスプレー）等の表示素子を備えており、本発明における分析結果等の表示を行う。また、入力装置１７は、キーボード等のキーデバイス及びマウス等のポインティングデバイスを備えており、本装置のオペレータにより制御演算処理装置１５に対して入力操作が実行できるものである。なお、図中の５は、光学顕微鏡である。
【００２５】
以上が、本発明における試料分析装置の構成である。次に、本分析装置の動作について説明する。
【００２６】
本発明の試料分析装置においては、同一の試料６に関し、三元素についての濃度情報に加えて、該三元素以外の二元素についての濃度情報が付与された立体グラフの作成を行う。よって、分析対象元素としては、合計五種以上の元素がオペレータにより指定されることとなる。
【００２７】
本実施例としては、説明を簡単にするため、五種の元素が分析対象としてオペレータにより指定される例とする。ここでは、一つの具体例として、試料６がカンラン石［(Mg1-XFeX)2SiO4］を含むカンラン岩からなり、分析対象元素としてアルミニウム（Al）、シリコン（Si）、カルシウム（Ca）、鉄（Fe）及びマグネシウム（Mg）の五元素が指定される例について述べる。なお、当該分析対象元素において、アルミニウム、シリコン及びカルシウムが上記三元素に相当し、鉄及びマグネシウムが上記二元素に相当する例とする。
【００２８】
まず、表示装置１６には、図２に示すように、分析対象元素の指定を行うための画像（ウインドウ）が表示されている。当該画像においては、分析対象元素として、Ａ元素〜Ｅ元素の五種の元素が指定可能とされている。ここで、Ａ元素、Ｂ元素及びＣ元素は、上記三元素に対応し、Ｄ元素及びＥ元素は上記二元素（追加二元素）に対応する。なお、本試料分析においては、試料６の相分析が可能である。
【００２９】
オペレータは、入力装置１７を操作することにより、Ａ元素としてアルミニウム、Ｂ元素としてシリコン、Ｃ元素としてカルシウム、Ｄ元素として鉄、Ｅ元素としてマグネシウムの各元素記号を、それぞれ対応する枠内に入力する。これにより、分析対象となる五元素の指定が行われる。
【００３０】
次に、オペレータは、入力装置１７の操作を行うことにより、本装置による分析実行開始の指示を行う。
【００３１】
当該指示を受けて、本分析装置は、試料６に関し、上記各元素についての濃度分析を実行する。この場合、当該分析装置内においては、制御演算処理装置１５による駆動制御に
より、分光素子９が上記各元素に対応する分光位置に順次移動していく。このとき、各分光位置で分光素子９を一旦停止（固定）させる。
【００３２】
それぞれの分光位置に分光結晶６が位置した状態で試料６上での集束電子線１８の走査を行い、これにより試料６から発生する特性Ｘ線１９を分光素子９により分光してＸ線検出器１０により検出する。Ｘ線検出器１０からのＸ線信号は、Ｘ線信号処理装置１２を経由して制御演算処理装置１５に送られる。
【００３３】
制御演算処理装置１５は、集束電子線１８の走査を実行した際の走査信号と当該Ｘ線信号とに基づき、そのときの分光位置に対応する元素についての面分析データを作成する。すなわち、制御演算処理装置１５は、当該元素に関して予め求めておいた質量濃度とＸ線強度との関係に基づいて、当該走査エリア内での各測定ポイントにおける該元素の濃度データを得る。これにより、元素Ａ〜元素Ｅについての各測定ポイントにおける濃度データが取得される。
【００３４】
さらに、制御演算処理装置１５は、各測定ポイントにおいて、三元素に対応する元素Ａ〜元素Ｃについて、当該三元素間での各元素の濃度比を算出する。また、制御演算処理装置１５は、各測定ポイントにおいて、二元素に対応する元素Ｄ及び元素Ｅについて、当該二元素間における各元素の濃度比を算出する。
【００３５】
ここで、図３に、上記三元素における各元素の濃度比を表わす散布図の例を示す。図３の例においては、当該走査エリア内での各測定ポイントの中で、所定の３箇所の測定ポイント（測定データ点）ａ，ｂ，ｃが抽出され、これら３つの測定ポイントについて、元素Ａ（Al）、元素Ｂ（Si）及び元素Ｃ（Ca）の各濃度比が表されている（同図内の表を参照）。同図中の下に位置する散布図は、この場合の三元散布図に相当する。
【００３６】
本発明においては、制御演算処理装置１５が、図３に示す三元素（元素Ａ〜元素Ｃ）についての濃度情報を表わす三元散布図に対して、さらに二元素（元素Ｄ及び元素Ｅ）についての濃度情報が付加された立体グラフを作成する。
【００３７】
このときの立体グラフの例を図４に示す。同図に示された立体グラフは、元素Ａ（Al）、元素Ｂ（Si）及び元素Ｃ（Ca）を頂点とする三角形からなる三元散布図に対して、その立体空間内で、三元散布図の平面に直交する方向に軸を追加している。そして、該軸の軸上において、二元素（元素Ｄ及び元素Ｅ）間での元素の濃度情報が付与されている。すなわち、該軸の上方向を元素Ｄ（Fe）の濃度が大きい方向に設定し、該軸の下方向を元素Ｅ（Mg）の濃度が大きい方向に設定している。
【００３８】
当該立体グラフは、制御演算処理装置１５において作成され、表示装置１６により表示される。
【００３９】
図４の立体グラフにおいては、上記測定ポイントａ，ｂ，ｃに対応する濃度分布データのプロット位置は、同図に示すａ，ｂ，ｃの各黒丸（●）の位置となる。当該立体グラフ内でのプロットをオペレータが目視にて確認することにより、上記三元素についての濃度情報に加えて、鉄とマグネシウムとの両者の相対的な濃度比の情報も一目でわかる。これにより、当該三元素間での濃度情報に加えて、鉄とマグネシウムとの間での濃度比の中で、鉄リッチとなる分析データあるいはマグネシウムリッチとなる分析データがどのように分布しているかが即座にわかることとなる。
【００４０】
ここで、本実施例のごとく鉱物（カンラン石［(Mg1-XFeX)2SiO4］）を含む試料６が分析の対象とされている場合、追加される二元素として鉄（Fe）とマグネシウム（Mg）を指定して、両元素間での濃度比を求めることにより、当該鉱物の温度上での形成条件・形成過程を知る手掛かりとなりうる。
【００４１】
なお、本発明の変形例として、上記により作成・表示された立体グラフをオペレータの操作により空間座標軸に沿って回転した後の状態を表示することも可能である。
【００４２】
図５は、このような例を示すである。同図中の左側にある立体グラフを、Ｚ軸に平行な回転軸を中心として回転（Ｘ−Ｙ回転）させることにより、同図中の右側にある立体グラフとして表示することができる。
【００４３】
さらに、当該右側にある立体グラフを、Ｘ軸に平行な回転軸を中心として回転（Ｚ−Ｙ回転）させることにより、同図中の下側にある立体グラフとして表示することもできる。
【００４４】
なお、上記の例では、三元分布図に付加される軸を、当該散布図の平面に直交する軸として説明したが、これに限定されることはない。すなわち、三元分布図に付加される軸を、当該直交する軸とせずに、当該散布図の平面に対して任意の角度で交差する軸とすることもできる。
【００４５】
このように、本発明における試料分析装置は、試料６上で一次線（電子線）１８を走査し、これにより試料６から発生する信号（特性Ｘ線）１９を検出して試料６の元素分析を行う装置において、分析対象の複数元素における三元素の濃度情報に基づき形成される三元散布図の平面に対して交差する軸に、他の二元素の濃度情報を付与してなる立体グラフを作成する手段（制御演算処理装置）１５を有する。この場合、当該軸は、当該三元散布図の平面に対して直交する軸とすることができる。
【００４６】
さらに、本試料分析装置は、当該立体グラフを表示する表示手段（表示装置）１６を備える。ここで、表示される立体グラフを、空間座標軸に沿って回転可能とすることもできる。
【００４７】
なお、本発明は、蛍光Ｘ線分析の分野においても適用可能であり、一次線をＸ線とし、検出対象の信号を試料からの蛍光Ｘ線とすることもできる。
【００４８】
本発明においては、多元素を含む試料の元素分析において、三元素の濃度比と別の二元素の濃度比との関連を一つの立体グラフ上で視覚的に表すことができ、オペレータに対して、試料に含まれる化合物等の特定のためのより有用な情報を提供することができる。
【符号の説明】
【００４９】
１…電子銃、２…集束レンズ、３…対物レンズ、４…電子線走査器、５…光学顕微鏡、６…試料、７…試料ステージ、８…電子光学系制御装置、９…分光素子、１０…Ｘ線検出器、１１…分光素子制御装置、１２…Ｘ線信号処理装置、１３…試料ステージ制御装置、１４…インターフェース、１５…制御演算処理装置、１６…表示装置、１７…入力装置、１８…電子線（一次線）、１９…特性Ｘ線（検出対象信号）
【図１】
2014071092.tif 000003
【図２】
2014071092.tif 000004
【図３】
2014071092.tif 000005
【図４】
2014071092.tif 000006
【図５】
2014071092.tif 000007